(57)【要約】【課題】排紙部に排出されたシートの取り出し易さを維持し、表示部が傾動可能とされる画像形成装置を提供する。【解決手段】シートは、下部筐体２００Ａの上面部に配置される胴内排紙部２１０に排紙される。操作部５は、胴内排紙部２１０の上方に間隔をおいて配置される上部筐体２００Ｃから前方に向かって突設される。操作部５は、右操作部５Ｂと表示部５０とを備える。右操作部５Ｂから、画像形成装置１に画像形成情報が入力される。表示部５０は、右操作部５Ｂに隣接して配置され、前記画像形成情報が表示される。表示部５０は、右操作部５Ｂと略面一に配置される第１の位置と、第１の位置から前端側を支点として後端側が上方に回動され、右操作部５Ｂよりも、前方に向かって先下がりに傾斜した第２の位置との間で位置変更が可能とされる。【選択図】図１
2014211620.tif 000002
【特許請求の範囲】
【請求項１】
内部空間を備える下部筐体と、
前記内部空間に配置され、シートに画像を形成する画像形成部と、
前記下部筐体の上面部に配置され、前記シートが排出される排紙部と、
前記排紙部の上方に間隔をおいて配置される上部筐体と、
画像形成情報が入力される入力部と、前記入力部に隣接して配置され、前記画像形成情報が表示される表示部とを含み、前記上方筐体から前方に向かって突設される操作部と、を有し、
前記表示部は、前記入力部と略面一に配置される第１の位置と、前記第１の位置から前端側を支点として後端側が上方に回動され、前記入力部よりも、前方に向かって先下がりに傾斜した第２の位置との間で位置変更が可能であることを特徴とする画像形成装置。
【請求項２】
前記表示部を、前記第１の位置と前記第２の位置との間で移動させる移動機構部を更に有することを特徴とする請求項１に記載の画像形成装置。
【請求項３】
前記移動機構部は、前記第２の位置として、前記表示部を段階的に複数の傾斜角度で固定させることを特徴とする請求項２に記載の画像形成装置。
【請求項４】
前記移動機構部は、前記表示部に配置された押圧ボタンを備え、
前記押圧ボタンが押圧されることで、前記表示部が前記第１の位置と前記第２の位置との間で移動可能とされ、
前記押圧ボタンの前記押圧が解除されることで、前記表示部が前記第１の位置または前記第２の位置にロックされることを特徴とする請求項２または３に記載の画像形成装置。
【請求項５】
前記表示部が前記第２の位置にロックされた状態において、
前記表示部の後端側が下方に押圧されると、前記表示部のロックが解除されることを特徴とする請求項４に記載の画像形成装置。
【請求項６】
前記移動機構部は、前記第２の位置として、前記表示部が前記入力部に対して所定の角度で傾斜した第１傾斜位置、および、前記表示部が前記第１傾斜位置よりも大きな角度で前記入力部に対して傾斜した第２傾斜位置に、前記表示部を固定配置させることが可能であり、
前記押圧ボタンが押圧され、前記表示部が前記第２傾斜位置から前記第１傾斜位置に向かって前記回転軸回りに回動される際に、前記第１傾斜位置の周辺において前記表示部の回動を規制する回動規制部を備えることを特徴とする請求項４に記載の画像形成装置。
【請求項７】
前記表示部は左右方向に所定の幅をもった矩形形状からなり、
前記押圧ボタンは前記表示部の左右方向の一端側に配置され、
前記移動機構部は、前記表示部の左右方向の一端側および他端側に配置され、前記押圧ボタンの前記押圧が解除されることに連動して、前記表示部を前記第１の位置または前記第２の位置において前記上部筐体にロックする一対のロック部を備えることを特徴とする請求項４乃至６の何れか１項に記載の画像形成装置。
【請求項８】
前記表示部は、前記矩形形状からなるフレーム部と、前記フレーム部に配置され、前記画像形成情報が表示される表示パネルと、を備え、
前記押圧ボタンは、前記表示部の前記一端側において前記フレーム部から露出され、かつ、前記表示部の前記一端側から前記他端側に向かう押圧方向に押圧可能とされ、
前記移動機構部は、
前記押圧ボタンを含み、前記表示部の後端側において前記フレーム部の内部に配置される移動部材と、
前記移動部材と前記フレーム部との間に圧縮して配置され、前記押圧ボタンを前記押圧方向とは反対の付勢方向に付勢する付勢ばねと、
前記ロック部の一部として前記移動部材から後方に向かって突設され、左右方向に間隔をおいて配置される一対のガイドピンと、
前記上部筐体に固定され、前記ロック部の一部として前記一対のガイドピンが移動可能に挿通される一対の案内溝を含むガイド板と、を有することを特徴とする請求項７に記載の画像形成装置。
【請求項９】
前記案内溝は、
上下方向に延設され、前記表示部の前記第１の位置と前記第２の位置との間の移動に伴って、前記ガイドピンが上下に移動する移動用溝と、
前記移動用溝に連設して前記移動用溝の上下方向の複数の位置から前記付勢方向に延設され、前記表示部の前記第１の位置および前記第２の位置での固定に伴って、前記ガイドピンが係合される係合用溝と、を備え、
前記押圧ボタンが前記押圧方向に押圧されると、前記付勢ばねの付勢力に抗して、前記ガイドピンが前記係合用溝から脱離された後、前記移動用溝を上下方向に移動可能とされることで、前記移動部材を介して前記押圧ボタンと前記フレーム部とが一体的に回動可能とされ、前記押圧ボタンの前記押圧が解除されると、前記付勢ばねの付勢力によって、前記ガイドピンが前記係合用溝に係合されることで、前記表示部が前記第１の位置または前記第２の位置に固定されることを特徴とする請求項８に記載の画像形成装置。
【請求項１０】
前記表示部が前記第２の位置に配置された状態において、前記押圧ボタンが押圧されると、前記ガイドピンが前記移動用溝に進入した後、前記表示部の自重によって前記移動用溝を上方から下方に移動することで、前記表示部が前記第２の位置から前記第１の位置に移動することを特徴とする請求項９に記載の画像形成装置。
【請求項１１】
前記操作部は、前記入力部および前記表示部を下方で支持する支持フレームを備え、
前記表示部の前記フレーム部が前記支持フレームに対して回動することで、前記表示部が前記第１の位置および前記第２の位置に配置されることを特徴とする請求項８乃至１０の何れか１項に記載の画像形成装置。
【請求項１２】
前記画像が形成されたシートを後方から前方に向かって前記排紙部に排紙する排出手段を備え、
前記操作部の前端部は、前後方向において下部筐体の前端部よりも後方に配置されることを特徴とする請求項１乃至１１の何れか１項に記載の画像形成装置。
【発明の詳細な説明】
【技術分野】
【０００１】
本発明は、シートに画像を形成する画像形成装置に関する。
【背景技術】
【０００２】
従来、シートに画像を形成する画像形成装置には、画像形成情報を入力するための操作部が配置される。操作部は、表示部を備える。表示部には、印刷枚数やサイズなどの画像形成情報が表示される。従来、前記操作部として、画像形成装置の装置本体から前方に突出したものが知られている。特許文献１には、胴内排紙型の画像形成装置において、胴内排紙部の上方において装置本体から前方に突設され、表示部を備えた操作部が開示されている。更に、特許文献１に記載された技術では、車椅子に座った作業者の操作部の操作性を向上するために、前記操作部の後端側を支点として操作部の前端側が下方に傾動する。
【先行技術文献】
【特許文献】
【０００３】
【特許文献１】特開平１１−１１９４９８号公報
【発明の概要】
【発明が解決しようとする課題】
【０００４】
特許文献１に記載された技術では、操作部の前端側が下方に傾動した場合、操作部が胴内排紙部の前方を塞いでしまう。この結果、操作部の操作性は向上されても、胴内排紙部に排出されたシートの取り出しやすさが悪化するという問題があった。
【０００５】
本発明は、上記問題に鑑みてなされたものであり、排紙部に排出されたシートの取り出し易さを維持し、表示部が傾動可能とされる画像形成装置を提供することを目的とする。
【課題を解決するための手段】
【０００６】
本発明の一局面に係る画像形成装置は、内部空間を備える下部筐体と、前記内部空間に配置され、シートに画像を形成する画像形成部と、前記下部筐体の上面部に配置され、前記シートが排出される排紙部と、前記排紙部の上方に間隔をおいて配置される上部筐体と、画像形成情報が入力される入力部と、前記入力部に隣接して配置され、前記画像形成情報が表示される表示部とを含み、前記上方筐体から前方に向かって突設される操作部と、を有し、前記表示部は、前記入力部と略面一に配置される第１の位置と、前端側を支点として後端側が上方に回動され、前記入力部よりも、前方に向かって先下がりに傾斜した第２の位置との間で位置変更が可能であることを特徴とする。
【０００７】
本構成によれば、操作部は、入力部と表示部とを備える。表示部は、入力部と略面一に配置される第１の位置と、第１の位置から前端側を支点として後端側が上方に回動され、入力部よりも、前方に向かって先下がりに傾斜した第２の位置との間で位置変更が可能とされる。このため、表示部が位置変更した場合であっても、表示部の前端側が、操作部の下方に配置された排紙部を塞ぐことがない。したがって、排紙部に排出されたシートの視認性および取り出し性が好適に維持される。更に、入力部に対して相対的に表示部だけが回動可能とされる。この結果、車いすの使用者を含め、さまざまな姿勢の使用者によって、表示部に表示された画像形成情報が安定して視認される。また、画像形成装置の設置環境において、表示部に電灯の光が映り込んでも、表示部の位置変更によって表示部の視認性が好適に確保される。
【０００８】
上記の構成において、前記表示部を、前記第１の位置と前記第２の位置との間で移動させる移動機構部を更に有することが望ましい。
【０００９】
本構成によれば、移動機構部によって、表示部の移動が好適に実現される。
【００１０】
上記の構成において、前記移動機構部は、前記第２の位置として、前記表示部を段階的に複数の傾斜角度で固定させることが望ましい。
【００１１】
本構成によれば、表示部が第２の位置としての複数の傾斜角度で固定可能とされる。この結果、さまざまな姿勢の使用者によって、表示部に表示された画像形成情報がより安定して視認される。
【００１２】
上記の構成において、前記移動機構部は、前記表示部に配置された押圧ボタンを備え、前記押圧ボタンが押圧されることで、前記表示部が前記第１の位置と前記第２の位置との間で移動可能とされ、前記押圧ボタンの前記押圧が解除されることで、前記表示部が前記第１の位置または前記第２の位置にロックされることが望ましい。
【００１３】
本構成によれば、押圧ボタンの押圧および前記押圧の解除によって、表示部の位置変更が好適に実現される。
【００１４】
上記の構成において、前記表示部が前記第２の位置にロックされた状態において、前記表示部の後端側が下方に押圧されると、前記表示部のロックが解除されることが望ましい。
【００１５】
本構成によれば、ユーザーによって表示部の後端側が押圧されることで、表示部のロックが解除され、表示部を下方に移動させることができる。
【００１６】
上記の構成において、前記移動機構部は、前記第２の位置として、前記表示部が前記入力部に対して所定の角度で傾斜した第１傾斜位置、および、前記表示部が前記第１傾斜位置よりも大きな角度で前記入力部に対して傾斜した第２傾斜位置に、前記表示部を固定配置させることが可能であり、前記押圧ボタンが押圧され、前記表示部が前記第２傾斜位置から前記第１傾斜位置に向かって前記回転軸回りに回動される際に、前記第１傾斜位置の周辺において前記表示部の回動を規制する回動規制部を備えることが望ましい。
【００１７】
本構成によれば、ユーザーが第２の位置の第２傾斜位置から第１傾斜位置に向かって表示部を回動させる際に、表示部が第１傾斜位置近傍に至ったことが容易に把握される。
【００１８】
上記の構成において、前記表示部は左右方向に所定の幅をもった矩形形状からなり、前記押圧ボタンは前記表示部の左右方向の一端側に配置され、前記移動機構部は、前記表示部の左右方向の一端側および他端側に配置され、前記押圧ボタンの前記押圧が解除されることに連動して、前記表示部を前記第１の位置または前記第２の位置において前記上部筐体にロックする一対のロック部を備えることが望ましい。
【００１９】
本構成によれば、表示部の一端側に配置された押圧ボタンの操作に連動して、表示部の一端側および他端側に配置された一対のロック部が表示部を第１の位置または第２の位置にロックする。このため、左右方向に所定の幅をもった表示部が、安定して上部筐体にロックされる。
【００２０】
上記の構成において、前記表示部は、前記矩形形状からなるフレーム部と、前記フレーム部に配置され、前記画像形成情報が表示される表示パネルと、を備え、前記押圧ボタンは、前記表示部の前記一端側において前記フレーム部から露出され、かつ、前記表示部の前記一端側から前記他端側に向かう押圧方向に押圧可能とされ、前記移動機構部は、前記押圧ボタンを含み、前記表示部の後端側において前記フレーム部の内部に配置される移動部材と、前記移動部材と前記フレーム部との間に圧縮して配置され、前記押圧ボタンを前記押圧方向とは反対の付勢方向に付勢する付勢ばねと、前記ロック部の一部として前記移動部材から後方に向かって突設され、左右方向に間隔をおいて配置される一対のガイドピンと、前記上部筐体に固定され、前記ロック部の一部として前記一対のガイドピンが移動可能に挿通される一対の案内溝を含むガイド板と、を有することが望ましい。
【００２１】
本構成によれば、押圧ボタンと、移動部材と、付勢ばねと、一対のガイドピンと、一対の案内溝を含むガイド板とによって、表示部の位置変更が好適に実現される。
【００２２】
上記の構成において、前記案内溝は、上下方向に延設され、前記表示部の前記第１の位置と前記第２の位置との間の移動に伴って、前記ガイドピンが上下に移動する移動用溝と、前記移動用溝に連設して前記移動用溝の上下方向の複数の位置から前記付勢方向に延設され、前記表示部の前記第１の位置および前記第２の位置での固定に伴って、前記ガイドピンが係合される係合用溝と、を備え、前記押圧ボタンが前記押圧方向に押圧されると、前記付勢ばねの付勢力に抗して、前記ガイドピンが前記係合用溝から脱離された後、前記移動用溝を上下方向に移動可能とされることで、前記移動部材を介して前記押圧ボタンと前記フレーム部とが一体的に回動可能とされ、前記押圧ボタンの前記押圧が解除されると、前記付勢ばねの付勢力によって、前記ガイドピンが前記係合用溝に係合されることで、前記表示部が前記第１の位置または前記第２の位置に固定されることが望ましい。
【００２３】
本構成によれば、押圧ボタンが押圧方向に押圧されると、ガイドピンが付勢ばねの付勢力に抗して係合用溝から脱離された後、移動用溝を上下方向に移動可能とされる。この結果、移動部材を介して押圧ボタンとフレーム部とが一体的に回動可能とされ、表示部の位置変更が可能とされる。一方、押圧ボタンの押圧が解除されると、付勢ばねの付勢力によってガイドピンが係合用溝に係合される。この結果、表示部が第１の位置または第２の位置に安定して固定される。
【００２４】
上記の構成において、前記表示部が前記第２の位置に配置された状態において、前記押圧ボタンが押圧されると、前記ガイドピンが前記移動用溝に進入した後、前記表示部の自重によって前記移動用溝を上方から下方に移動することで、前記表示部が前記第２の位置から前記第１の位置に移動することが望ましい。
【００２５】
本構成によれば、表示部が第２の位置に配置された状態において、押圧ボタンが押圧されるだけで、表示部の自重によって表示部が第２の位置から第１の位置に移動される。
【００２６】
上記の構成において、前記操作部は、前記入力部および前記表示部を下方で支持する支持フレームを備え、前記表示部の前記フレーム部が前記支持フレームに対して回動することで、前記表示部が前記第１の位置および前記第２の位置に配置されることが望ましい。
【００２７】
本構成によれば、フレーム部が支持フレームに対して回動することによって、表示部の位置変更が実現される。この結果、支持フレームの一部が表示部とともに回動する場合と比較して、支持フレームの一部が分断される必要がなく、操作部の強度が好適に維持される。
【００２８】
上記の構成において、前記画像が形成されたシートを後方から前方に向かって前記排紙部に排紙する排出手段を備え、前記操作部の前端部は、前後方向において下部筐体の前端部よりも後方に配置されることが望ましい。
【００２９】
本構成によれば、左右方向にシートが排紙される場合と比較して、シートが排紙される様子が、操作部の下方において好適に視認される。また、操作部の前端部が下部筐体の前端部よりも前方に突出していないため、前記シートの視認性が一層確保される。
【発明の効果】
【００３０】
本発明によれば、排紙部に排出されたシートの取り出し易さを維持し、表示部が傾動可能とされる画像形成装置が提供される。
【図面の簡単な説明】
【００３１】
【図１】本発明の実施形態に係る画像形成装置の斜視図である。
【図２】本発明の実施形態に係る画像形成装置の内部断面図である。
【図３】本発明の実施形態に係る操作部の斜視図である。
【図４】本発明の実施形態に係る表示部およびガイド部を後方から見た斜視図である。
【図５】本発明の実施形態に係る表示部およびガイド部を後方から見た斜視図である。
【図６】本発明の実施形態に係る表示部およびガイド部を後方から見た斜視図である。
【図７】本発明の実施形態に係る表示部を後方から見た斜視図である。
【図８】本発明の実施形態に係る表示部の内部の様子を示した斜視図である。
【図９】本発明の実施形態に係る移動部材の斜視図である。
【図１０】本発明の実施形態に係る移動部材の背面図である。
【図１１】本発明の実施形態に係るガイド部の正面図である。
【図１２】本発明の実施形態に係るガイド部の変形例の正面図である。
【図１３】表示パネルに蛍光灯の光が映り込む様子を示した模式的な側面図である。
【発明を実施するための形態】
【００３２】
以下、図面を参照しつつ、本発明の一実施形態について説明する。図１は、本発明の一実施形態に係る画像形成装置１の斜視図である。また、図２は、図１に示される画像形成装置１の下部筐体２００Ａの内部構造を概略的に示す断面図である。図１および図２に示される画像形成装置１は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。
【００３３】
画像形成装置１は、下部筐体２００Ａと、連結筐体２００Ｂと、上部筐体２００Ｃと、自動原稿読取装置３とを備える。
【００３４】
下部筐体２００Ａは、画像形成装置１の下方部分に配置され、略立方体形状からなる。下部筐体２００Ａは、内部にシートＳに画像を形成するための様々な装置を収容する。上部筐体２００Ｃは、下部筐体２００Ａの上方に間隔をおいて配置される。上部筐体２００Ｃは扁平状の直方体形状からなる。上部筐体２００Ｃの中には、不図示の読取手段が配置される。上部筐体２００Ｃの前面部は、上部前壁２００Ｃ１（図３）によって画定される。連結筐体２００Ｂは、下部筐体２００Ａおよび上部筐体２００Ｃの左方部分、右方部分および後方部分を上下方向に連結する。連結筐体２００Ｂは、上面視で前方部分が開放されたコの字型からなる壁部である。下部筐体２００Ａ、連結筐体２００Ｂおよび上部筐体２００Ｃによって囲まれる領域に、胴内排紙空間が形成される。該胴内排紙空間の底面は、後記の胴内排紙部２１０によって画定される。
【００３５】
下部筐体２００Ａは複数の外壁によって画定される。下部筐体２００Ａは、下部筐体２００Ａの上面を規定する上壁２０１と、下部筐体２００Ａの底面を規定する底壁２２０（図２）と、上壁２０１と底壁２２０との間で立面する背面壁２３０（図２）と、背面壁２３０とは反対側に立面する前壁２５０と、を含む。下部筐体２００Ａは、各種の装置が配置される本体内部空間２６０（内部空間）を備える。
【００３６】
下部筐体２００Ａの上面部である上壁２０１の中央部には、胴内排紙部２１０が配置される。胴内排紙部２１０は、上壁２０１の前方部分から後方部分にかけて下方に傾斜した傾斜面からなる。胴内排紙部２１０には、後記の画像形成部１２０において、画像が形成されたシートＳが排出される。前述の上部筐体２００Ｃは、胴内排紙部２１０の上方に間隔をおいて配置される。また、前壁２５０の上下方向の中央部には、手差しトレイ２４０が配置される。手差トレイ２４０は、下端を支点として、前壁２５０に対して上下に回動可能である（図２の矢印Ｄ１）。また、前壁２５０と上壁２０１の前方部分は一体で手差トレイ２４０とともに上下に回動可能であり、上端側が下方に回動されると、下部筐体２００Ａに形成された開口部２９０が開放される。開口部２９０は、下部筐体２００Ａの本体内部空間２６０に連通する。使用者は、開口部２９０を介して、下部筐体２００Ａの本体内部空間２６０に収容された様々な装置にアクセスすることができる。前壁２５０が上方に回動すると、開口部２９０は閉じられる。この結果、使用者の不必要な本体内部空間２６０へのアクセスは防止される。
【００３７】
画像形成装置１は、カセット１１０と、ピックアップローラー１１２と、第１給紙ローラー１１３と、第２給紙ローラー１１４と、搬送ローラー１１５と、レジストローラー対１１６と、画像形成部１２０とを備える。
【００３８】
カセット１１０は、内部にシートＳを収容する。カセット１１０は、シートＳを支持するリフト板１１１を備える。リフト板１１１は、シートＳの先頭縁を押し上げるように傾斜する。
【００３９】
ピックアップローラー１１２は、リフト板１１１によって押し上げられたシートＳの先頭縁上に配置される。ピックアップローラー１１２が回転すると、シートＳはカセット１１０から引き出される。
【００４０】
第１給紙ローラー１１３は、ピックアップローラー１１２の下流に配設される。第１給紙ローラー１１３は、シートＳを更に下流に送り出す。第２給紙ローラー１１４は、手差しトレイ２４０の支点付近に配設される。第２給紙ローラー１１４は、手差トレイ２４０上のシートＳを下部筐体２００Ａ内に引き込む。使用者は、カセット１１０に収容されたシートＳ、または手差トレイ２４０の上に載置されたシートＳを選択的に使用することができる。
【００４１】
搬送ローラー１１５は、第１給紙ローラー１１３、第２給紙ローラー１１４の下流に配設される。搬送ローラー１１５は、第１給紙ローラー１１３、第２給紙ローラー１１４によって送り出されたシートＳを更に下流へ搬送する。
【００４２】
レジストローラー対１１６は、搬送方向のシートの位置を規定する。これにより、シートＳ上に形成される画像の位置が調整される。レジストローラー対１１６は、画像形成部１２０による画像形成のタイミングに合わせて、シートＳを画像形成部１２０に供給する。
【００４３】
画像形成部１２０は、本体内部空間２６０に配置される。画像形成部１２０はシートに画像を形成する。画像形成部１２０は、感光体ドラム１２１と、帯電器１２２と、露光装置１２３と、現像装置１２４と、トナーコンテナ１２５と、転写ローラー１２６と、クリーニング装置１２７とを備える。
【００４４】
感光体ドラム１２１は、円筒体の形状を有する。感光体ドラム１２１は、周面に静電潜像が形成されるとともに、該静電潜像に応じたトナー画像を担持する。
【００４５】
帯電器１２２は、所定の電圧が印加され、感光体ドラム１２１の周面を略一様に帯電させる。
【００４６】
露光装置１２３は、帯電器１２２によって帯電された感光体ドラム１２１の周面に、レーザー光を照射する。該レーザー光は、プリンター１００に通信可能に接続されたパーソナルコンピュータといった外部装置（図示せず）から出力された画像データに従って、照射される。この結果、感光体ドラム１２１の周面には、画像データに対応する静電潜像が形成される。
【００４７】
現像装置１２４は、静電潜像が形成された感光体ドラム１２１の周面にトナーを供給する。トナーコンテナ１２５は、現像装置１２４へトナーを供給する。トナーコンテナ１２５は、現像装置１２４に順次又は必要に応じてトナーを供給する。現像装置１２４がトナーを感光体ドラム１２１に供給すると、感光体ドラム１２１の周面に形成された静電潜像が現像（可視化）される。この結果、感光体ドラム１２１の周面に、トナー画像が形成されることとなる。
【００４８】
転写ローラー１２６は、感光体ドラム１２１の周面に当接するように、回転可能に配設される。レジストローラー対１１６から搬送されたシートＳが、感光体ドラム１２１と転写ローラー１２６との間を通過するときに、感光体ドラム１２１の周面に形成されたトナー画像が、シートＳに転写される。
【００４９】
クリーニング装置１２７は、シートＳへトナー画像が転写された後に、感光体ドラム１２１の周面に残るトナーを除去する。クリーニング装置１２７によって、清浄化された感光体ドラム１２１の周面は、再度、帯電器１２２の下方を通過し、一様に帯電される。その後、上述のトナー画像の形成が新たに行われる。
【００５０】
画像形成装置１は、画像形成部１２０よりも搬送方向下流側に、シートＳ上のトナー画像を定着させる定着装置１３０を更に備える。定着装置１３０は、シートＳ上のトナーを溶融させる加熱ローラー１３１と、シートＳを加熱ローラー１３１に密着させる圧力ローラー１３２と、を備える。シートＳが加熱ローラー１３１と圧力ローラー１３２との間を通過すると、トナー画像は、シートＳに定着される。
【００５１】
画像形成装置１は、定着装置１３０の下流に配設された複数の搬送ローラー対１３３と、搬送ローラー対１３３の下流に配設された排出ローラー対１３４（排出手段）と、を更に備える。シートＳは、搬送ローラー対１３３によって上方に搬送され、最終的に、排出ローラー対１３４によって、下部筐体２００Ａから排出される。下部筐体２００Ａから排出されたシートＳは、胴内排紙部２１０上に積み重ねられる。
【００５２】
自動原稿読取装置３は、上部筐体２００Ｃの上面部に配置された不図示のコンタクトガラスに対して、開放可能とされる。自動原稿読取装置３の後端部を支点として、自動原稿読取装置３の前方部分が上方に開放される。自動原稿読取装置３の開状態において、前記コンタクトガラス上に固定原稿が載置される。また、自動原稿読取装置３は、原稿シートを前記コンタクトガラス上の画像読取位置に搬送する。自動原稿読取装置３は、原稿トレイ３０と、原稿搬送部３１と、原稿排紙部３２とを備える。原稿トレイ３０には、原稿シートが載置される。原稿搬送部３１は、原稿トレイ３０に載置された原稿シートを前記画像読取位置に搬送した後、原稿排紙部３２に排出する。原稿搬送部３１の前面の下方には、自動原稿読取装置３を開閉するための取手部３３が形成されている。
【００５３】
更に、画像形成装置１は、操作部５を備える。操作部５は、上部筐体２００Ｃの上部前壁２００Ｃ１から前方に向かって突設される。本実施形態では、前後方向において、操作部５の前端部は、下部筐体２００Ａの前壁２５０（前端部）よりも後方に配置される。また、操作部５は、前述の胴内排紙部２１０の上方に間隔をおいて配置される。次に、図３乃至図１１を参照して、本実施形態に係る操作部５について、更に詳述する。
【００５４】
図３は、本実施形態に係る操作部５の斜視図である。図４乃至図６は、本実施形態に係る表示部５０およびガイド部５３を後方から見た斜視図である。図７は、本実施形態に係る表示部５０を後方から見た斜視図である。図８は、表示部５０の内部の様子を示した斜視図である。なお、図８は、表示部５０の表示フレーム５１の天板５１Ｔを取り外した状態に相当する。図９は、本実施形態に係る移動部材５４の斜視図である。図１０は、移動部材５４の背面図である。図１１は、本実施形態に係るガイド部５３の正面図である。図１２は、本発明の実施形態に係るガイド部の変形例の正面図である。また、図１３は、画像形成装置１が使用される際に、蛍光灯ＬＴの光が表示パネル５２に映り込む様子を示した模式的な側面図である。
【００５５】
操作部５は、上部筐体２００Ｃの上部前壁２００Ｃ１に沿って、左右方向に延設される扁平状のユニットである。操作部５は、左操作部５Ａと、表示部５０と、右操作部５Ｂ（入力部）とを備える。画像形成装置１の使用者によって、左操作部５Ａおよび右操作部５Ｂから、シート枚数、シートサイズなどの各種の画像形成情報が入力される。
【００５６】
表示部５０は、左操作部５Ａと右操作部５Ｂとの間において、左操作部５Ａおよび右操作部５Ｂに隣接して配置される。表示部５０は、表示フレーム５１（フレーム部）と、表示パネル５２とを備える。表示フレーム５１は、左右方向に所定の幅をもった矩形形状からなる。表示パネル５２は、表示フレーム５１に嵌め込まれた液晶パネルである。表示パネル５２には、前記画像形成情報が表示される。更に、操作部５は、支持フレーム５Ｐを備える。支持フレーム５Ｐは、左操作部５Ａ、表示部５０および右操作部５Ｂを下方において支持する。
【００５７】
本実施形態では、表示部５０は、右操作部５Ｂと略面一に配置される第１の位置と、前記第１の位置から前端部５１Ａ（前端側）を支点として後端部５１Ｂ（後端側）が上方に回動され（図３の矢印ＤＲ）、右操作部５Ｂよりも、前方に向かって先下がりに傾斜した第２の位置との間で位置変更が可能とされる。なお、図３および図４は、表示部５０が第１の位置に配置された状態を示し、図５は、表示部５０が第２の位置に配置された状態を示す。このように、本実施形態では、表示部５０が前端部５１Ａを支点として回動するため、表示部５０が位置変更した場合であっても、表示部５０の前端部５１Ａが、操作部５の下方に配置された胴内排紙部２１０（図１）を塞ぐことがない。したがって、胴内排紙部２１０に排出されたシートＳの視認性および取り出し性が好適に維持される。更に、左操作部５Ａおよび右操作部５Ｂに対して相対的に表示部５０だけが回動可能とされる。この結果、図１３に示される車いすの使用者を含め、さまざまな姿勢の使用者によって、表示部５０に表示された画像形成情報が安定して視認される。また、図１３に示すように、画像形成装置１の設置環境において、表示部５０の表示パネル５２に蛍光灯ＬＴ（電灯）の光ＬＥが映り込んだ場合であっても、表示部５０の前記位置変更によって表示パネル５２の視認性が好適に確保される。特に、図１３に示されるように、画像形成装置１が小型デスクトップ型の画像形成装置としてテーブルの上に設置された場合、車いすの作業者にとって、左操作部５Ａおよび右操作部５Ｂの入力作業に支障はなくても、表示部５０における前記映り込みが作業性を悪化させやすい。このため、上記のように、表示部５０が単独で傾動可能とされることによって、車いすに座った作業者にとっても、操作部５の操作性が好適に確保される。
【００５８】
次に、本実施形態に係る表示部５０の移動機構について説明する。操作部５は、傾動手段５０Ａ（移動機構部）（図４）を備える。傾動手段５０Ａは、表示部５０を前記第１の位置と前記第２の位置との間で移動させる。また、傾動手段５０Ａは、前記第２の位置として、表示部５０を段階的に複数の傾斜角度で固定させる。
【００５９】
図７および図８を参照して、前述の表示フレーム５１は、天板５１Ｔ（図３）と、右側壁５１０Ａと、左側壁５１０Ｂと、回転軸５１１と、背面壁５１２と、を備える。天板５１Ｔは、表示フレーム５１の上面部に相当する。前述の表示パネル５２は、天板５１Ｔに開口された不図示の開口部に嵌め込まれている。右側壁５１０Ａおよび左側壁５１０Ｂは、天板５１Ｔの左右の端縁に連設される一対の側壁である。回転軸５１１は、右側壁５１０Ａおよび左側壁５１０Ｂの前端部から左右方向に突設される軸部である。回転軸５１１は、表示部５０の回動における支点となる。なお、回転軸５１１は、左操作部５Ａおよび右操作部５Ｂにそれぞれ開口された不図示の孔部に挿通される。背面壁５１２は、表示フレーム５１の後端面に相当する。背面壁５１２は、右側壁５１０Ａおよび左側壁５１０Ｂの後縁部を左右方向に連設する。
【００６０】
右側壁５１０Ａは、ばね当接部５１０Ａ１と、右ガイド溝５１０Ａ２と、右規制部５１０Ａ３と、を備える。ばね当接部５１０Ａ１は、右側壁５１０Ａの内壁部の後端部分である。ばね当接部５１０Ａ１には、後記の付勢ばね５４５の右端部が当接する。右ガイド溝５１０Ａ２は、ばね当接部５１０Ａ１の下端部から左方に向かって突設される。右ガイド溝５１０Ａ２は、左右方向に延設される溝形状を備える。右ガイド溝５１０Ａ２には、後記の移動部材５４の第１下端部５４４Ａがスライド移動可能に係合される。右規制部５１０Ａ３は、ばね当接部５１０Ａ１の前方において、右側壁５１０Ａの内壁部から左方に向かって突設される箱型の突起部である。右規制部５１０Ａ３は、後記の移動部材５４が前方に脱離することを防ぐ機能を備える。
【００６１】
同様に、左側壁５１０Ｂは、切欠き部５１０Ｂ１と、左ガイド溝５１０Ｂ２と、左規制部５１０Ｂ３と、を備える。切欠き部５１０Ｂ１は、左側壁５１０Ｂの上端縁の後端部分において、矩形形状に切り欠かれた切欠き部である。切欠き部５１０Ｂ１には、後記の操作ボタン５４１が挿通される。左ガイド溝５１０Ｂ２は、切欠き部５１０Ｂ１の下方において、左側壁５１０Ｂの内壁部から右方に向かって突設される。左ガイド溝５１０Ｂ２は、左右方向に延設される溝形状を備える。左ガイド溝５１０Ｂ２には、後記の移動部材５４の第２下端部５４４Ｂがスライド移動可能に係合される。左規制部５１０Ｂ３は、切欠き部５１０Ｂ１の前方において、左側壁５１０Ｂの内壁部から右方に向かって突設される箱型の突起部である。左規制部５１０Ｂ３は、後記の移動部材５４が前方に脱離することを防ぐ機能を備える。
【００６２】
背面壁５１２は、第１開口部５１３Ａおよび第２開口部５１３Ｂ（図７）を備える。第１開口部５１３Ａおよび第２開口部５１３Ｂは、背面壁５１２の下端部において、それぞれ左右方向の両端部に開口される開口部である。図７に示されるように、第１開口部５１３Ａおよび第２開口部５１３Ｂは、背面壁５１２の後面視において、略Ｌ字形状に開口される。第１開口部５１３Ａおよび第２開口部５１３Ｂには、後記の移動部材５４の第１係合片５４３Ａおよび第２係合片５４３Ｂが挿通され、後方に向かって突出される。
【００６３】
傾動手段５０Ａは、ガイド部５３および移動部材５４を備える。
【００６４】
ガイド部５３は、上部筐体２００Ｃの上部前壁２００Ｃ１に固定される。ガイド部５３は、表示フレーム５１の背面壁５１２に対向して配置される。なお、図４乃至図６では、表示フレーム５１の後方に配置されるガイド部５３を示し、上部筐体２００Ｃ（上部前壁２００Ｃ１）の図示を省略している。また、ガイド部５３は、図３には現れていないが、図３の領域ＰＡに示す位置に配置される。図４および図１１を参照して、ガイド部５３は、ガイドパネル５３０と、第１ガイド部５３１と、第２ガイド部５３２と、を備える。
【００６５】
ガイドパネル５３０は、ガイド部５３の本体部分である。ガイドパネル５３０は上下および左右方向に延設される板状部材である。ガイドパネル５３０は、下端部が部分的に切りかかれた略コの字形状からなる。
【００６６】
第１ガイド部５３１および第２ガイド部５３２（一対の案内溝）は、ガイドパネル５３０の左右方向の両端部に開口される一対の開口部である。第１ガイド部５３１および第２ガイド部５３２には、後記の移動部材５４の第１係合片５４３Ａおよび第２係合片５４３Ｂ（一対のガイドピン）が上下および左右方向に移動可能に挿通される。また、第１ガイド部５３１および第２ガイド部５３２は、後記のロック部５Ｌの一部として機能する。
【００６７】
第１ガイド部５３１は、図４に示されるガイド部５３の後面視において、略Ｅの字形状からなる開口部である。第１ガイド部５３１は、第１移動溝５３１Ａ（移動用溝）と、第１１係合溝５３１Ｂ、第１２係合溝５３１Ｃ、第１３係合溝５３１Ｄ（係合用溝）とを備える。第１移動溝５３１Ａは、第１ガイド部５３１のうち上下方向に延設される開口部分である。表示部５０の前記第１の位置と前記第２の位置との間の移動に伴って、後記の第１係合片５４３Ａが第１移動溝５３１Ａを上下に移動する。第１１係合溝５３１Ｂ、第１２係合溝５３１Ｃ、第１３係合溝５３１Ｄは、第１移動溝５３１Ａに連設して第１移動溝５３１Ａの上下方向の複数の位置から左方（後記の付勢ばね５４５の付勢方向）に延設される。そして、第１１係合溝５３１Ｂ、第１２係合溝５３１Ｃ、第１３係合溝５３１Ｄには、表示部５０の前記第１の位置および前記第２の位置での固定に伴って、第１係合片５４３Ａが係合される。第１１係合溝５３１Ｂは、第１移動溝５３１Ａの下端部に連設され、第１２係合溝５３１Ｃは、第１移動溝５３１Ａの上下方向の中央部に連設され、第１３係合溝５３１Ｄは、第１移動溝５３１Ａの上端部に連設される。なお、表示部５０が前記第１の位置に配置される場合、後記の第１係合片５４３Ａが第１１係合溝５３１Ｂに係合される。また、表示部５０が前記第２の位置に配置される場合、第１係合片５４３Ａが第１２係合溝５３１Ｃまたは第１３係合溝５３１Ｄに係合される。第１係合片５４３Ａが第１２係合溝５３１Ｃに係合された場合よりも、第１係合片５４３Ａが第１３係合溝５３１Ｄに係合された場合の方が、表示部５０の傾斜角度が大きく設定される。
【００６８】
同様に、第２ガイド部５３２は、図４に示されるガイド部５３の後面視において、略Ｅの字形状からなる開口部である。第２ガイド部５３２は、第２移動溝５３２Ａ（移動用溝）と、第２１係合溝５３２Ｂ、第２２係合溝５３２Ｃ、第２３係合溝５３２Ｄ（係合用溝）とを備える。第２移動溝５３２Ａは、第２ガイド部５３２のうち上下方向に延設される開口部分である。表示部５０の前記第１の位置と前記第２の位置との間の移動に伴って、後記の第２係合片５４３Ｂが第２移動溝５３２Ａを上下に移動する。第２１係合溝５３２Ｂ、第２２係合溝５３２Ｃ、第２３係合溝５３２Ｄは、第２移動溝５３２Ａに連設して第２移動溝５３２Ａの上下方向の複数の位置から左方（後記の付勢ばね５４５の付勢方向）に延設される。そして、第２１係合溝５３２Ｂ、第２２係合溝５３２Ｃ、第２３係合溝５３２Ｄには、表示部５０の前記第１の位置および前記第２の位置での固定に伴って、第２係合片５４３Ｂが係合される。第２１係合溝５３２Ｂは、第２移動溝５３２Ａの下端部に連設され、第２２係合溝５３２Ｃは、第２移動溝５３２Ａの上下方向の中央部に連設され、第２３係合溝５３２Ｄは、第２移動溝５３２Ａの上端部に連設される。なお、表示部５０が前記第１の位置に配置される場合、後記の第２係合片５４３Ｂが第２１係合溝５３２Ｂに係合される。また、表示部５０が前記第２の位置に配置される場合、第２係合片５４３Ｂが第２２係合溝５３２Ｃまたは第２３係合溝５３２Ｄに係合される。第２係合片５４３Ｂが第２２係合溝５３２Ｃに係合された場合よりも、第２係合片５４３Ｂが第２３係合溝５３２Ｄに係合された場合の方が、表示部５０の傾斜角度が大きく設定される。
【００６９】
図８乃至図１０を参照して、移動部材５４は、表示部５０の後端側において表示部５０の表示フレーム５１の内部に配置される（図８）。移動部材５４は、移動パネル５４０と、操作ボタン５４１（押圧ボタン）と、突出部５４２と、第１係合片５４３Ａおよび第２係合片５４３Ｂ（一対のガイドピン）と、第１下端部５４４Ａおよび第２下端部５４４Ｂと、付勢ばね５４５とを備える。
【００７０】
移動パネル５４０は、移動部材５４の本体部分である。移動パネル５４０は、表示フレーム５１の背面壁５１２の内側に配置される。移動パネル５４０は、上下および左右方向に延設される板状部材である。移動パネル５４０は、後面視において下方部分が開放された略コの字形状からなる。移動パネル５４０の下端部は、部分的に矩形形状に切り欠かれた移動パネル切欠き部５４６を備える。移動パネル切欠き部５４６には、表示部５０の表示パネル５２から延伸された不図示の電気配線が挿通される。前記電気配線は、上部筐体２００Ｃ内の不図示のコネクタ部に連結される。
【００７１】
操作ボタン５４１は、表示部５０の移動パネル５４０の左端部かつ上端部に配置される。図１０に示される後面視において、操作ボタン５４１は、略Ｌ字形状を備える。操作ボタン５４１は、押圧部５４１Ａと、基端部５４１Ｂとを備える。押圧部５４１Ａは、操作ボタン５４１の左端部に配置され、画像形成装置１の使用者によって右方に向かって押圧または把持される。基端部５４１Ｂは、操作ボタン５４１の右端部に配置され、移動パネル５４０に連結される。後記のとおり、操作ボタン５４１が押圧されることで、表示部５０が前記第１の位置と前記第２の位置との間で移動可能とされる。また、操作ボタン５４１の前記押圧が解除されることで、表示部５０が前記第１の位置または前記第２の位置にロックされる。
【００７２】
突出部５４２は、移動パネル５４０から後方に向かって突設される板状の突起部である。突出部５４２は、水平突出部５４２Ａと、ばね係止部５４２Ｂとを備える。水平突出部５４２Ａは、移動パネル５４０の上下方向に中央部において、左右方向に延設される。ばね係止部５４２Ｂは、水平突出部５４２Ａの右端部から上方に向かって延設される。ばね係止部５４２Ｂは、左右方向に面して配置される。ばね係止部５４２Ｂには、後記の付勢ばね５４５の左側端部が係止される。
【００７３】
第１係合片５４３Ａおよび第２係合片５４３Ｂは、移動パネル５４０の左右方向の両端部であって、移動パネル５４０の下端部から後方に向かって突設される一対の突起部である。第１係合片５４３Ａおよび第２係合片５４３Ｂは、左右方向に間隔をおいて配置される。第１係合片５４３Ａおよび第２係合片５４３Ｂは、後記のとおり、傾動手段５０Ａのロック部５Ｌの一部として機能する。
【００７４】
第１下端部５４４Ａおよび第２下端部５４４Ｂは、移動パネル５４０の下端部の右方部分および左方部分に相当する。第１下端部５４４Ａおよび第２下端部５４４Ｂは、左右方向に沿って延設される。
【００７５】
付勢ばね５４５は、ばね係止部５４２Ｂから右方に向かって延設される。前述のとおり、付勢ばね５４５の左端部がばね係止部５４２Ｂに係止され、付勢ばね５４５の右端部は、前述の右側壁５１０Ａのばね当接部５１０Ａ１（図８）に当接される。本実施形態では、付勢ばね５４５の付勢力は２．５Ｎに設定されている。
【００７６】
図８に示されるように、移動部材５４は表示部５０の表示フレーム５１の内部に装着される。詳しくは、操作ボタン５４１は、左側壁５１０Ｂの切欠き部５１０Ｂ１に上方から挿入される。また、第１下端部５４４Ａおよび第２下端部５４４Ｂは、表示フレーム５１の右ガイド溝５１０Ａ２および左ガイド溝５１０Ｂ２に挿通される。また、付勢ばね５４５は、移動部材５４のばね係止部５４２Ｂと表示フレーム５１のばね当接部５１０Ａ１との間に圧縮して配置される。この結果、移動部材５４が、右ガイド溝５１０Ａ２および左ガイド溝５１０Ｂ２に沿って左右方向に移動可能とされる。また、操作ボタン５４１は、表示部５０の左端部（左右方向の一端側）において表示フレーム５１から露出される。なお、図３に示されるように、左操作部５Ａの後端かつ右端部には、左方に突出した操作ボタン５４１が収容されるために、左開口部５Ａ１が形成されている。左開口部５Ａ１は、左操作部５Ａの角部が部分的に切りかかれて形成される。また、操作ボタン５４１は、表示部５０の左端部から右端部（左右方向の他端側）に向かう押圧方向（図８の矢印Ｄ８１方向、右方向）に押圧可能とされる。更に、付勢ばね５４５は、操作ボタン５４１を前記押圧方向とは反対の付勢方向（左方向）に付勢する。
【００７７】
なお、前述のように、表示フレーム５１の右側壁５１０Ａおよび左側壁５１０Ｂの内壁部からは、それぞれ右規制部５１０Ａ３および左規制部５１０Ｂ３が突設される。そして、右規制部５１０Ａ３および左規制部５１０Ｂ３は、移動部材５４が表示フレーム５１の内部において前方に傾動すること、換言すれば、移動部材５４の第１下端部５４４Ａおよび第２下端部５４４Ｂが、右ガイド溝５１０Ａ２および左ガイド溝５１０Ｂ２から前方に脱離することを防止する。なお、移動部材５４が表示フレーム５１の内部に装着されると、図７に示すように、第１係合片５４３Ａおよび第２係合片５４３Ｂが、背面壁５１２に開口された第１開口部５１３Ａおよび第２開口部５１３Ｂに挿通される。また、第１係合片５４３Ａおよび第２係合片５４３Ｂは、第１開口部５１３Ａおよび第２開口部５１３Ｂを貫通した後、図４に示すように、背面壁５１２の後方に配置されたガイド部５３の第１ガイド部５３１および第２ガイド部５３２に挿通される。なお、Ｌ字型に開口された第１開口部５１３Ａおよび第２開口部５１３Ｂのうち上下方向に開口された部分は、移動部材５４の表示フレーム５１への装着時に、第１係合片５４３Ａおよび第２係合片５４３Ｂが通過するために使用される。
【００７８】
上記の第１ガイド部５３１、第２ガイド部５３２、第１係合片５４３Ａ、第２係合片５４３Ｂは、傾動手段５０Ａの一対のロック部５Ｌ（図４）の一部として機能する。換言すれば、一対のロック部５Ｌは、表示部５０の左右方向の一端側および他端側に配置され、操作ボタン５４１の前記押圧が解除されることに連動して、表示部５０を前記第１の位置または前記第２の位置において上部筐体２００Ｃにロックする。
【００７９】
図３に示されるように、表示部５０が左操作部５Ａおよび右操作部５Ｂと略面一の第１の位置に配置された場合に、第１係合片５４３Ａおよび第２係合片５４３Ｂは、第１１係合溝５３１Ｂおよび第２１係合溝５３２Ｂに係合されている。この時、第１係合片５４３Ａおよび第２係合片５４３Ｂの円弧状の上端部は、図７に示すように、それぞれ第１開口部５１３Ａおよび第２開口部５１３Ｂの第１１当接部Ａ１および第２１当接部Ｂ１に当接している。
【００８０】
この状態で、画像形成装置１の使用者によって操作ボタン５４１が右方向（図８の矢印Ｄ８１）に押圧されると、付勢ばね５４５の付勢力に抗して、第１係合片５４３Ａおよび第２係合片５４３Ｂが、第１１係合溝５３１Ｂおよび第２１係合溝５３２Ｂから右方に脱離される。その後、第１係合片５４３Ａおよび第２係合片５４３Ｂは、第１移動溝５３１Ａおよび第２移動溝５３２Ａに進入し、第１移動溝５３１Ａおよび第２移動溝５３２Ａに沿って上方に移動可能とされる。このとき、第１係合片５４３Ａおよび第２係合片５４３Ｂの円弧状の上端部は、それぞれ第１開口部５１３Ａおよび第２開口部５１３Ｂの第１２当接部Ａ２および第２２当接部Ｂ２に当接している。したがって、画像形成装置１の使用者が、操作ボタン５４１を把持し、操作ボタン５４１を上方に引き上げると、移動部材５４を介して操作ボタン５４１と表示フレーム５１とが、回転軸５１１を支点として一体的に上方に回動可能とされる。
【００８１】
やがて、図６に示すように、第１係合片５４３Ａおよび第２係合片５４３Ｂが、それぞれ第１２係合溝５３１Ｃおよび第２２係合溝５３２Ｃの右方に至り、操作ボタン５４１の前記押圧が解除されると、付勢ばね５４５の付勢力によって、第１係合片５４３Ａおよび第２係合片５４３Ｂが、それぞれ第１２係合溝５３１Ｃおよび第２２係合溝５３２Ｃに係合される。この結果、表示部５０が図５に示される第２の位置に固定される。なお、表示部５０が第２の位置のうち更に上方の位置に固定される場合であっても、同様に、第１係合片５４３Ａおよび第２係合片５４３Ｂが、それぞれ第１３係合溝５３１Ｄおよび第２３係合溝５３２Ｄに係合される。
【００８２】
次に、図４〜図８および図１１に示すガイド部５３の変形例について説明する。図１２に示すガイド部６３は、図４〜図６に示す構成においてガイド部５３の代わりに取り付けられる。なお、図１２のガイド部６３では、図４〜図８および図１１に示すガイド部５３と同様の要素に対して、同一の符号がカッコ内に付されている。なお、ガイド部５３と同一の符号を付した構成はガイド部５３と同一の構成であることを示し、その詳細な説明を省略する。
【００８３】
ガイド部６３はガイド部５３と同様に、ガイドパネル６３０と、第１ガイド部６３１と、第２ガイド部６３２と、を備える。そして、第１ガイド部６３１は、第１移動溝６３１Ａと、第１１係合溝６３１Ｂと、第１２係合溝６３１Ｃと、第１３係合溝６３１Ｄとを備える。第２ガイド部６３２は、第２移動溝６３２Ａと、第２１係合溝６３２Ｂと、第２２係合溝６３２Ｃと、第２３係合溝６３２Ｄとを備える。
【００８４】
次に、ガイド部６３がガイド部５３と異なる構成について説明する。第１２係合溝６３１Ｃと第１３係合溝６３１Ｄの下端縁には、水平方向に対して約４５度の角度で第１移動溝６３１Ａに向かって下方に傾斜する傾斜面６３１Ｅが形成されている。同様に、第２２係合溝６３２Ｃと第２３係合溝６３２Ｄの下端縁には、水平方向に対して約４５度の角度で第２移動溝６３２Ａに向かって下方に傾斜する傾斜面６３２Ｅが形成されている。また、第２移動溝６３２Ａの下方部分の左右方向の幅は、図１１に示すガイド部５３の第２移動溝５３２Ａと同じとされ、上方部分の左右方向の幅は下方部分よりも広い幅になっている。そのため、第２移動溝６３２Ａの右壁面は、上下方向の中央付近に段差面６３２Ｆ（回動規制部）を有する段差形状になっている。段差面６３２Ｆは水平な面であり、左右方向において第２２係合溝６３２Ｃに対向する位置に形成されている。また、第１移動溝６３１Ａは、第２移動溝６３２Ａの上方部分と同じように、図１１に示すガイド部５３の第１移動溝５３１Ａよりも広い幅で上下方向に延設されている。
【００８５】
次に、ガイド部６３を操作部５に用いた構成における表示部５０の動作について、ガイド部５３を用いた構成との違いについて説明する。表示部５０が第２の位置に配置される場合、移動部材５４の第１係合片５４３Ａが第１２係合溝６３１Ｃまたは第１３係合溝６３１Ｄに係合され、第２係合片５４３Ｂが第２２係合溝６３２Ｃまたは第２３係合溝６３２Ｄに係合される。そして、表示部５０の後端部５１Ｂ（図３）は右操作部５Ｂよりも上方に突出している。このとき、ユーザーが第２の位置に配置されている表示部５０の後端部５１Ｂを上方から所定の力以上で押圧すると、表示フレーム５１が回転軸５１１を支点として下方に回動する。この際、移動部材５４では、付勢ばね５４５の付勢力に抗して、第１係合片５４３Ａおよび第２係合片５４３Ｂが傾斜面６３１Ｅおよび傾斜面６３２Ｅに沿って第１移動溝５３１Ａおよび第２移動溝５３２Ａに進入する。すなわち、上記の押圧動作によって、第２の位置における表示部５０のロックが解除される。このため、ユーザーは操作ボタン５４１を操作することなく、表示部５０の後端部５１Ｂを上方から押圧することによって、第２の位置に配置された表示部５０を第１の位置に移動させることが可能である。
【００８６】
また、上記の構成によれば、ユーザーが、取手部３３以外の自動原稿搬送装置３の前方部分を把持して、自動原稿搬送装置３を閉じようとした場合や、自動原稿搬送装置３を上方に開放し、原稿を上部筐体２００Ｃのコンタクトガラスに載置する場合に、ユーザーの手が第２の位置に配置された表示部５０の後端部５１Ｂに接触しても、表示部５０が下方に退避するため、ユーザーの操作が妨げられることが防止される。
【００８７】
なお、第２の位置に配置された表示部５０が回動するために、表示部５０の後端部５１Ｂに上方から作用する力は、付勢ばね５４５の付勢力または傾斜面６３１Ｅ、６３２Ｅの水平方向に対する傾斜角度の設定などにより調整が可能である。
【００８８】
次に、ガイド部６３が適用された表示部５０の第２の位置において、操作ボタン５４１が操作され、表示部５０が傾斜角度の大きな位置（第２傾斜位置）から傾斜角度の小さな位置（第１傾斜位置）に移動する場合の、ガイド部５３を用いた構成との違いについて説明する。前述のように、傾動手段５０Ａは、第２の位置として、表示部５０が右操作部５Ｂに対して所定の角度で傾斜した第１傾斜位置、および、表示部５０が第１傾斜位置よりも大きな角度で右操作部５Ｂに対して傾斜した第２傾斜位置に、表示部５０を固定配置させることが可能である。表示部５０が第２傾斜位置に配置されているとき、移動部材５４の第１係合片５４３Ａが第１３係合溝６３１Ｄに係合され、第２係合片５４３Ｂが第２３係合溝６３２Ｄに係合している。まず、ユーザーが操作ボタン５４１を右方に押し込むと、移動部材５４が付勢ばね５４５の付勢力に抗して右に移動し、第１係合片５４３Ａおよび第２係合片５４３Ｂが第１移動溝６３１Ａおよび第２移動溝６３２Ａの右壁面に当接する。次に、ユーザーが操作ボタン５４１を右方に押し込んだ状態で下方に移動させると、第２係合片５４３Ｂが第２移動溝６３２Ａの段差面６３２Ｆに当接して、表示部５０の回動が停止する。すなわち、段差面６３２Ｆが、表示部５０の回動を規制する。このとき、ユーザーは表示部５０が第１傾斜位置付近まで回動したことを認識する。そして、ユーザーが操作ボタン５４１を左方に戻すことで、第１係合片５４３Ａが第１２係合溝６３１Ｃに係合され、第２係合片５４３Ｂが第２２係合溝６３２Ｃにスムーズに挿入される。また、表示部５０を第１傾斜位置から第１の位置に移動させたい場合は、ユーザーは、第２係合片５４３Ｂを段差面６３２Ｆで停止させ、操作ボタン５４１を少し左方に戻したのち更に下方に移動させることで、第１係合片５４３Ａおよび第２係合片５４３Ｂを第１１係合溝６３１Ｂおよびに第２１係合溝６３２Ｂに係合させることが可能となる。
【００８９】
以上のように本実施形態によれば、傾動手段５０Ａによって、表示部５０の移動が好適に実現される。また、表示部５０が第２の位置としての複数の傾斜角度で上部筐体２００Ｃに固定可能とされる。この結果、さまざまな姿勢の使用者によって、表示部５０に表示された画像形成情報がより安定して視認される。更に、操作ボタン５４１の押圧および前記押圧の解除によって、表示部５０の位置変更が好適に実現される。
【００９０】
特に、表示部５０の一端側に配置された操作ボタン５４１の操作に連動して、表示部５０の一端側および他端側に配置された一対のロック部５Ｌが表示部５０を第１の位置または第２の位置にロックする。このため、左右方向に所定の幅をもった表示部５０が、安定して上部筐体２００Ｃにロックされる。
【００９１】
一方、図５に示す第２の位置に表示部５０が配置された状態において、操作ボタン５４１が押圧されると、第１係合片５４３Ａおよび第２係合片５４３Ｂが、それぞれ第１２係合溝５３１Ｃおよび第２２係合溝５３２Ｃの右方に至り、第１移動溝５３１Ａおよび第２移動溝５３２Ａに進入する。この際、第１係合片５４３Ａおよび第２係合片５４３Ｂが、表示部５０の自重によって第１移動溝５３１Ａおよび第２移動溝５３２Ａを上方から下方に移動する。そして、第１係合片５４３Ａおよび第２係合片５４３Ｂが、第１移動溝５３１Ａおよび第２移動溝５３２Ａの下端部に至ると、付勢ばね５４５の付勢力によって、第１係合片５４３Ａおよび第２係合片５４３Ｂが、第１１係合溝５３１Ｂおよび第２１係合溝５３２Ｂに係合する。この結果、表示部５０が前記第２の位置から図４に示される第１の位置に移動する。このように、本実施形態によれば、表示部５０が第２の位置に配置された状態において、操作ボタン５４１が押圧されるだけで、表示部５０の自重を利用して表示部５０が第２の位置から第１の位置に移動される。したがって、表示部５０の第１の位置への復帰が、使用者のプッシュ動作だけで容易に実現される。
【００９２】
なお、表示部５０の表示フレーム５１が、回転軸５１１を支点として、操作部５の支持フレーム５Ｐに対して回動することで、表示部５０が前記第１の位置および前記第２の位置に配置される。このため、常に、表示部５０の下方部分は、支持フレーム５Ｐによって支持されている。この結果、表示部５０の下方を支持する支持フレーム５Ｐの一部が、表示部５０とともに回転軸５１１を支点として回動する場合と比較して、支持フレーム５Ｐの一部が分断される必要がなく、操作部５の強度が好適に維持される。
【００９３】
また、上記の実施形態では、排出ローラー対１３４（排出手段）（図２）が、表面に画像が形成されたシートＳを後方から前方に向かって胴内排紙部２１０に排紙する。また、操作部５の前端部は、前後方向において下部筐体２００Ａの前端部よりも後方に配置される。このため、左右方向にシートＳが排紙される場合と比較して、シートＳが排紙される様子が、操作部５の下方において使用者によって好適に視認される。また、操作部５の前端部が下部筐体２００Ａの前端部よりも前方に突出していないため、使用者が操作部５よりも高い位置から胴内排紙部２１０を見た場合であっても、前記シートＳの視認性が一層確保される。
【００９４】
以上、本発明の実施形態に係る操作部５及びこれを備えた画像形成装置１について説明したが、本発明はこれに限定されるものではなく、例えば次のような変形実施形態を取ることができる。
【００９５】
（１）上記の実施形態では、表示部５０の左右方向の両端部に第１係合片５４３Ａ、第２係合片５４３Ｂおよび第１ガイド部５３１、第２ガイド部５３２が配置される態様にて説明したが、本発明はこれに限定されるものではない。操作ボタン５４１の押圧動作に連動するロック部として、表示部５０の左右方向の一端側、または中央部などに、同様の係合片おとびガイド部が１か所配置されてもよい。
【００９６】
（２）また、上記の実施形態では、移動部材５４とガイド部５３との間に、背面壁５１２が配置される態様にて説明したが、本発明はこれに限定されるものではない。他の変形実施形態において、背面壁５１２が配置されない態様であってもよい。この場合、移動部材５４が天板５１Ｔの下面を押しあげることで、移動部材５４と表示フレーム５１とが一体的に回動する。
【符号の説明】
【００９７】
１  画像形成装置
１２０  画像形成部
１３４  排出ローラー対（排出手段）
２００Ａ  下部筐体
２００Ｂ  連結筐体
２００Ｃ  上部筐体
２００Ｃ１  上部前壁
２０１  上壁
２１０  胴内排紙部（排紙部）
２５０  前壁
３  自動原稿読取装置
３０  原稿トレイ
３１  原稿搬送部
３２  原稿排紙部
５  操作部
５０  表示部
５０Ａ  傾動手段（移動機構部）
５１  表示フレーム（フレーム部）
５１０Ａ  右側壁
５１０Ａ１  ばね当接部
５１０Ａ２  右ガイド溝
５１０Ａ３  右規制部
５１０Ｂ  左側壁
５１０Ｂ１  切欠き部
５１０Ｂ２  左ガイド溝
５１０Ｂ３  左規制部
５１１  回転軸
５１２  背面壁
５１３Ａ  第１開口部
５１３Ｂ  第２開口部
５１Ａ  前端部（前端側）
５１Ｂ  後端部（後端側）
５１Ｔ  天板
５２  表示パネル
５Ａ  左操作部（入力部）
５Ａ１  左開口部
５Ｂ  右操作部（入力部）
５Ｌ  ロック部
５Ｐ  支持フレーム
５３  ガイド部（ガイド板）
５３０  ガイドパネル
５３１  第１ガイド部（案内溝）
５３１Ａ  第１移動溝（移動用溝）
５３１Ｂ  第１１係合溝（係合用溝）
５３１Ｃ  第１２係合溝（係合用溝）
５３１Ｄ  第１３係合溝（係合用溝）
５３２  第２ガイド部（案内溝）
５３２Ａ  第２移動溝（移動用溝）
５３２Ｂ  第２１係合溝（係合用溝）
５３２Ｃ  第２２係合溝（係合用溝）
５３２Ｄ  第２３係合溝（係合用溝）
５４  移動部材
５４０  移動パネル
５４１  操作ボタン（押圧ボタン）
５４１Ａ  押圧部
５４１Ｂ  基端部
５４２  突出部
５４２Ａ  水平突出部
５４２Ｂ  ばね係止部
５４３Ａ  第１係合片（ガイドピン）
５４３Ｂ  第２係合片（ガイドピン）
５４４Ａ  第１下端部
５４４Ｂ  第２下端部
５４５  付勢ばね
５４６  移動パネル切欠き部
Ａ１  第１１当接部
Ａ２  第１２当接部
Ｂ１  第２１当接部
Ｂ２  第２２当接部
ＬＴ  蛍光灯
【図２】
2014211620.tif 000003
【図４】
2014211620.tif 000004
【図５】
2014211620.tif 000005
【図６】
2014211620.tif 000006
【図７】
2014211620.tif 000007
【図１１】
2014211620.tif 000008
【図１２】
2014211620.tif 000009
【図１３】
2014211620.tif 000010
【図１】
2014211620.tif 000011
【図３】
2014211620.tif 000012
【図８】
2014211620.tif 000013
【図９】
2014211620.tif 000014
【図１０】
2014211620.tif 000015